【手続補正書】
【提出日】平成26年4月14日(2014.4.14)
【手続補正１】
【補正対象書類名】特許請求の範囲
【補正対象項目名】全文
【補正方法】変更
【補正の内容】
【特許請求の範囲】
【請求項１】
原稿の読取位置に光を照射しその反射光から読取画像を読み取る画像読取部と、
前記原稿の読取位置に搬送される前記原稿の背景となるように配置され、前記光を前記画像読取部に反射する正反射板と、
前記読取画像から前記正反射板を示す背景画像と前記原稿を示す原稿画像との境界を読み取り、前記境界と前記原稿の搬送方向とのなす角度に基づいて前記読取画像中の前記原稿画像の傾きを補正する第１の傾き補正手段と、
搬送される前記原稿の傾きを前記搬送方向を基準として機械的に補正する第２の傾き補正手段と、
前記第１の傾き補正手段によって前記読取画像の傾きを補正できないと判断した場合、前記第１の傾き補正手段を前記第２の傾き補正手段に切り替える切替手段とを有する画像読取装置。
【請求項２】
前記原稿の前記光に対する透過率を検知する検知手段をさらに有し、前記切替手段は、前記検知手段が検知した前記透過率に基づいて前記第１の傾き補正手段によって前記原稿画像の傾きを補正できるか否か判断する請求項１に記載の画像読取装置。
【請求項３】
操作部をさらに有し、
前記切替手段は、前記操作部において予め定めた操作がされた場合に、前記第１の傾き補正手段によって前記原稿画像の傾きを補正できないと判断する請求項１に記載の画像読取装置。
【請求項４】
原稿の読取位置に光を照射しその反射光から読取画像を読み取る画像読取部と、
前記原稿の読取位置に搬送される前記原稿の背景となるように配置され、前記光を前記画像読取部に反射する正反射板と、
前記読取画像から前記正反射板を示す背景画像と前記原稿を示す原稿画像との境界を読み取り、前記境界と前記原稿の搬送方向とのなす角度に基づいて前記読取画像中の前記原稿画像の傾きを補正する第１の傾き補正手段と、
搬送される前記原稿の傾きを前記搬送方向を基準として機械的に補正する第２の傾き補正手段と、
前記第１の傾き補正手段によって前記読取画像の傾きを補正できないと判断した場合、前記第１の傾き補正手段を前記第２の傾き補正手段に切り替える切替手段と、
前記第１の傾き補正手段が傾き補正した読取画像又は前記第２の傾き補正手段によって傾き補正された原稿を前記読取部によって読み取られた読取画像に基づいて用紙に画像を形成する画像形成部とを有する画像形成装置。
【請求項５】
原稿の読取位置の読取画像を読取る画像読取部と、
前記読取画像から前記読取位置の背景を示す背景画像と原稿を示す原稿画像との境界を読取り、前記境界に基づいて前記原稿画像の傾きを補正する第１の傾き補正手段へ該読取画像を送る送信部と、
搬送される原稿の傾きを機械的に補正する第２の傾き補正手段と、
第１の傾き補正と第２の傾き補正の適不適に応じて原稿の傾き補正を、第１の傾き補正と第２の傾き補正との間で切り替える切替手段と
を有する画像読取装置。
【請求項６】
前記切替手段は、自動で原稿に応じて適不適を判断する請求項５に記載の画像読取装置。
【請求項７】
操作部をさらに有し、
前記切替手段は、操作者からの入力により適不適を判断する請求項５に記載の画像読取装置。
【請求項８】
前記切替手段は、前記境界が読取りにくい原稿か否かで適不適を判断する請求項５に記載の画像読取装置。
【請求項９】
原稿の前記光に対する透過率を検知する検知手段をさらに有し、
前記切替手段は前記透過率に応じて原稿を判断する請求項６に記載の画像読取装置。
【請求項１０】
原稿の読取位置の読取画像を読取る画像読取部と、
前記読取画像から前記読取位置の背景を示す背景画像と原稿を示す原稿画像との境界を読取り、前記境界に基づいて前記原稿画像の傾きを補正する第１の傾き補正手段へ該読取画像を送る送信部と、
搬送される原稿の傾きを機械的に補正する第２の傾き補正手段と、
第１の傾き補正と第２の傾き補正の適不適に応じて原稿の傾き補正を、第１の傾き補正と第２の傾き補正との間で切り替える切替手段と
前記第１の傾き補正手段が傾き補正した読取画像又は前記第２の傾き補正手段によって傾き補正された原稿を前記読取部によって読み取られた読取画像に基づいて用紙に画像を形成する画像形成部とを有する画像形成装置。
【手続補正２】
【補正対象書類名】明細書
【補正対象項目名】０００５
【補正方法】変更
【補正の内容】
【０００５】
本発明の目的は、搬送路を搬送される原稿の傾き補正を実行する画像読取装置及び画像形成装置を提供することにある。
【手続補正３】
【補正対象書類名】明細書
【補正対象項目名】００１０
【補正方法】変更
【補正の内容】
【００１０】
［４］原稿の読取位置に光を照射しその反射光から読取画像を読み取る画像読取部と、前記原稿の読取位置に搬送される前記原稿の背景となるように配置され、前記光を前記
画像読取部に反射する正反射板と、前記読取画像から前記正反射板を示す背景画像と前記原稿を示す原稿画像との境界を読
み取り、前記境界と前記原稿の搬送方向とのなす角度に基づいて前記読取画像中の前記原
稿画像の傾きを補正する第１の傾き補正手段と、搬送される前記原稿の傾きを前記搬送方向を基準として機械的に補正する第２の傾き補
正手段と、前記第１の傾き補正手段によって前記読取画像の傾きを補正できないと判断した場合、前記第１の傾き補正手段を前記第２の傾き補正手段に切り替える切替手段と、前記第１の傾き補正手段が傾き補正した読取画像又は前記第２の傾き補正手段によって傾き補正された原稿を前記読取部によって読み取られた読取画像に基づいて用紙に画像を形成する画像形成部とを有する画像形成装置。
［５］原稿の読取位置の読取画像を読取る画像読取部と、
前記読取画像から前記読取位置の背景を示す背景画像と原稿を示す原稿画像との境界を読取り、前記境界に基づいて前記原稿画像の傾きを補正する第１の傾き補正手段へ該読取画像を送る送信部と、
搬送される原稿の傾きを機械的に補正する第２の傾き補正手段と、
第１の傾き補正と第２の傾き補正の適不適に応じて原稿の傾き補正を、第１の傾き補正と第２の傾き補正との間で切り替える切替手段と
を有する画像読取装置。
［６］前記切替手段は、自動で原稿に応じて適不適を判断する請求項５に記載の画像読取装置。
［７］前記切替手段は、操作者からの入力により適不適を判断する請求項５に記載の画像読取装置。
［８］前記切替手段は、前記境界が読取りにくい原稿か否かで適不適を判断する請求項５に記載の画像読取装置。
［９］原稿の前記光に対する透過率を検知する検知手段をさらに有し、前記切替手段は前記透過率に応じて原稿を判断する請求項６に記載の画像読取装置。
［１０］原稿の読取位置の読取画像を読取る画像読取部と、
前記読取画像から前記読取位置の背景を示す背景画像と原稿を示す原稿画像との境界を読取り、前記境界に基づいて前記原稿画像の傾きを補正する第１の傾き補正手段へ該読取画像を送る送信部と、
搬送される原稿の傾きを機械的に補正する第２の傾き補正手段と、
第１の傾き補正と第２の傾き補正の適不適を判断する切替手段と
前記切替手段の結果に応じ原稿の傾き補正を、第１の傾き補正と第２の傾き補正との間で切り替える切替手段と
前記第１の傾き補正手段が傾き補正した読取画像又は前記第２の傾き補正手段によって傾き補正された原稿を前記読取部によって読み取られた読取画像に基づいて用紙に画像を形成する画像形成部とを有する画像形成装置。
【手続補正４】
【補正対象書類名】明細書
【補正対象項目名】００１３
【補正方法】変更
【補正の内容】
【００１３】
請求項３に係る発明によれば、利用者の操作に応じて、搬送路を搬送される原稿の紙質を判断して傾き補正を実行することができる。
請求項５または１０に係る発明によれば、原稿の傾きを複数ある傾き補正のどれで補正をするかで適切または不適合がある構成であっても、適不適に関わらず同じ傾き補正を実行する場合と比較して、適切に傾きを補正することができる。
請求項６または８または９に係る発明によれば、搬送路を搬送される原稿の違いに関わらず傾き補正を実行することができる。
請求項７に係る発明によれば、利用者の操作に応じて、傾き補正を実行することができる。